(57)【要約】  本発明は、フレキシブルディスプレイパネル１０を開示する。フレキシブルディスプレイパネル１０は、表示領域１２と、リード線領域１４と、少なくとも一つの電子素子１８、１８２、１８４と、を含む。リード線領域１４は、表示領域１２に接続される。電子素子１８、１８２、１８４は、リード線領域１４内の片隅に設置される。リード線領域１４には、表示領域１２と、電子素子１８、１８２、１８４とを接続するためのリード線１４２が形成される。フレキシブルディスプレイパネル１０において、フレキシブルディスプレイパネル１０における折り曲げ可能な領域が比較的大きくなるように、電子素子１８、１８２、１８４が、リード線領域１４の片隅に設置されて、製品設計の自由度を向上させ、電子素子１８、１８２、１８４が折り曲げ不可能であることによる設計制限を解消する。  【選択図】  図１
2019537053.tif 000002
【特許請求の範囲】
【請求項１】
表示領域と、
前記表示領域に接続されるリード線領域と、
前記リード線領域内の隅に設置される少なくとも一つの電子素子と、を含み、
前記リード線領域には、前記表示領域と前記少なくとも一つの電子素子とを接続するためのリード線が形成される、
ことを特徴とするフレキシブルディスプレイパネル。
【請求項２】
前記フレキシブルディスプレイパネルは、巻き付け可能な部分を含み、前記巻き付け可能な部分は、前記表示領域内に位置する巻き付け可能な表示領域と、前記リード線領域内に位置する巻き付け可能なリード線領域と、を含み、前記表示領域に対する前記巻き付け可能な表示領域の比率は、０．５より大きく、
前記少なくとも一つの電子素子は、前記巻き付け可能なリード線領域の外に位置する、
ことを特徴とする請求項１に記載のフレキシブルディスプレイパネル。
【請求項３】
前記フレキシブルディスプレイパネルは、フレキシブルＯＬＥＤを含む、
ことを特徴とする請求項１に記載のフレキシブルディスプレイパネル。
【請求項４】
前記表示領域と前記リード線領域とが平らに展開されている場合に、前記フレキシブルディスプレイパネルは、矩形を呈し、
前記表示領域は、矩形を呈し、垂直に接続される第１の接続辺と第２の接続辺とを含み、
前記リード線領域は、前記第１の接続辺と前記第２の接続辺とに接続される、
ことを特徴とする請求項１に記載のフレキシブルディスプレイパネル。
【請求項５】
前記比率は、２／３より大きい、
ことを特徴とする請求項２に記載のフレキシブルディスプレイパネル。
【請求項６】
前記比率は１である、
ことを特徴とする請求項２に記載のフレキシブルディスプレイパネル。
【請求項７】
前記リード線は、少なくとも一束のリード線を含み、同一の束における前記リード線の長さは、同じである、
ことを特徴とする請求項１に記載のフレキシブルディスプレイパネル。
【請求項８】
同一の束における前記リード線は、
前記表示領域に接続され、平行に配置される第１の直線セグメントと、
前記第１の直線セグメントに接続され、片側に集まるように配置される斜線セグメントと、
前記斜線セグメントに接続される折線セグメントと、
前記折線セグメントに接続され、平行に配置される第２の直線セグメントと、を含み、
複数の前記第１の直線セグメントの配置幅は、複数の前記第２の直線セグメントの配置幅より大きい、
ことを特徴とする請求項７に記載のフレキシブルディスプレイパネル。
【請求項９】
前記表示領域と前記リード線領域とが平らに展開されている場合に、前記フレキシブルディスプレイパネルは、矩形を呈し、
前記表示領域は、矩形を呈し、垂直に接続される第１の接続辺と第２の接続辺とを含み、
前記リード線領域は、前記第２の接続辺に接続され、
前記巻き付け可能な部分は、一つの前記第１の接続辺から離れており、
前記電子素子は、前記第２の接続辺の外側に設置され、
前記フレキシブルディスプレイパネルは、二つの前記第１の接続辺の外側にそれぞれ設置される二つの駆動回路ユニットをさらに含み、
前記リード線は、前記第２の接続辺及び前記二つの駆動回路ユニットと、前記電子素子とを接続し、前記リード線は、前記第２の接続辺と前記二つの駆動回路ユニットとから、前記電子素子へ集まって束になる、
ことを特徴とする請求項２に記載のフレキシブルディスプレイパネル。
【請求項１０】
前記電子素子は、二つの前記第１の接続辺の延長線によって形成される領域及び二つの前記第２の接続辺の延長線によって形成される領域の外に位置する、
ことを特徴とする請求項９に記載のフレキシブルディスプレイパネル。
【請求項１１】
前記表示領域と前記リード線領域とが平らに展開されている場合に、前記フレキシブルディスプレイパネルは、矩形を呈し、
前記表示領域は、矩形を呈し、垂直に接続される第１の接続辺と第２の接続辺とを含み、
前記リード線領域は、前記第２の接続辺に接続され、
前記巻き付け可能な部分は、二つの前記第１の接続辺の間に位置し、
前記フレキシブルディスプレイパネルは、二つの前記電子素子を含み、二つの前記電子素子は、前記第２の接続辺の外側に設置され、
前記フレキシブルディスプレイパネルは、二つの前記第１の接続辺の外側にそれぞれ設置される二つの駆動回路ユニットをさらに含み、
前記リード線は、二束のリード線を含み、前記二束のリード線は、それぞれ一部の前記第２の接続辺及び一つの前記駆動回路ユニットと、一つの前記電子素子とを接続し、前記二束のリード線は、それぞれ前記第２の接続辺と前記駆動回路ユニットとから前記電子素子へ集まって束になる、
ことを特徴とする請求項２に記載のフレキシブルディスプレイパネル。
【請求項１２】
前記二つの電子素子は、二つの前記第１の接続辺の延長線によって形成される領域及び二つの前記第２の接続辺の延長線によって形成される領域の外に位置する、
ことを特徴とする請求項１１に記載のフレキシブルディスプレイパネル。
【請求項１３】
前記表示領域と前記リード線領域とが平らに展開されている場合に、前記フレキシブルディスプレイパネルは、矩形を呈し、
前記表示領域は、矩形を呈し、垂直に接続される第１の接続辺と第２の接続辺とを含み、
前記リード線領域は、前記第１の接続辺と、前記第２の接続辺とに接続され、
前記巻き付け可能な部分は、一つの前記第２の接続辺から離れており、
前記電子素子は、前記第１の接続辺の外側に設置される第１の電子素子と、前記第２の接続辺の外側に設置される第２の電子素子と、を含み、
前記リード線は、二束のリード線を含み、一束の前記リード線は、前記第１の接続辺と、前記第１の電子素子とを接続し、前記リード線は、前記第１の接続辺から前記第１の電子素子へ集まって束になり、もう一束の前記リード線は、前記第２の接続辺と、前記第２の電子素子とを接続し、前記リード線は、前記第２の接続辺から前記第２の電子素子へ集まって束になる、
ことを特徴とする請求項２に記載のフレキシブルディスプレイパネル。
【発明の詳細な説明】
【技術分野】
【０００１】
本発明は、表示技術分野に関し、特に、フレキシブルディスプレイパネルに関する。
【背景技術】
【０００２】
関連技術において、フレキシブルディスプレイパネルは、表示領域と、表示領域に接続されるリード線領域と、を含み、リード線領域には、電子素子が設置され、表示領域と、電子素子とを接続するリード線が形成されており、電子素子に対応する部分が通常折り曲げ不可能であるため、電子素子の不適切な配置により、従来のフレキシブルディスプレイパネルの巻き付けに影響を及ぼす。
【発明の概要】
【発明が解決しようとする課題】
【０００３】
本発明は、関連技術における少なくとも一つの技術的課題を解決することを目的とする。そのため、本発明は、フレキシブルディスプレイパネルを提供する必要がある。
【課題を解決するための手段】
【０００４】
本発明の実施形態のフレキシブルディスプレイパネルは、
表示領域と、
前記表示領域に接続されるリード線領域と、
前記リード線領域内の隅に設置される少なくとも一つの電子素子と、を含み、前記リード線領域には、前記表示領域と、前記少なくとも一つの電子素子とを接続するためのリード線が形成される。
【０００５】
本発明の実施形態のフレキシブルディスプレイパネルにおいて、フレキシブルディスプレイパネルにおける折り曲げ可能な領域が比較的大きくなるように、電子素子が、リード線領域の隅に設置されて、製品設計の自由度を向上させ、電子素子が折り曲げ不可能であることによる設計制限を解消する。
【０００６】
一部の実施形態において、前記フレキシブルディスプレイパネルは、巻き付け可能な部分を含み、前記巻き付け可能な部分は、前記表示領域内に位置する巻き付け可能な表示領域と、前記リード線領域内に位置する巻き付け可能なリード線領域と、を含み、前記表示領域に対する前記巻き付け可能な表示領域の比率は、０．５より大きく、
前記少なくとも一つの電子素子は、前記巻き付け可能なリード線領域の外に位置する。
【０００７】
一部の実施形態において、前記フレキシブルディスプレイパネルは、フレキシブルＯＬＥＤを含む。
【０００８】
一部の実施形態において、前記表示領域と、前記リード線領域とが平らに展開されている場合に、前記フレキシブルディスプレイパネルは、矩形を呈し、
前記表示領域は、矩形を呈し、垂直に接続される第１の接続辺と、第２の接続辺と、を含み、
前記リード線領域は、前記第１の接続辺と、前記第２の接続辺とに接続される。
【０００９】
一部の実施形態において、前記比率は、２／３より大きい。
【００１０】
一部の実施形態において、前記比率は１である。
【００１１】
一部の実施形態において、前記リード線は、少なくとも一束のリード線を含み、同一の束における前記リード線の長さは、同じである。
【００１２】
一部の実施形態において、同一の束における前記リード線は、
前記表示領域に接続され、平行に配置される第１の直線セグメントと、
前記第１の直線セグメントに接続され、片側へ集まるように配置される斜線セグメントと、
前記斜線セグメントに接続される折線セグメントと、
前記折線セグメントに接続され、平行に配置される第２の直線セグメントと、を含み、複数の前記第１の直線セグメントの配置幅は、複数の前記第２の直線セグメントの配置幅より大きい。
【００１３】
一部の実施形態において、前記表示領域と、前記リード線領域とが平らに展開されている場合に、前記フレキシブルディスプレイパネルは、矩形を呈し、
前記表示領域は、矩形を呈し、垂直に接続される第１の接続辺と、第２の接続辺と、を含み、
前記リード線領域は、前記第２の接続辺に接続され、
前記巻き付け可能な部分は、一つの前記第１の接続辺から離れており、
前記電子素子は、前記第２の接続辺の外側に設置され、
前記フレキシブルディスプレイパネルは、二つの前記第１の接続辺の外側にそれぞれ設置される二つの駆動回路ユニットをさらに含み、
前記リード線は、前記第２の接続辺と、前記二つの駆動回路ユニットとを、前記電子素子に接続し、前記リード線は、前記第２の接続辺と前記二つの駆動回路ユニットから、前記電子素子へ集まって束になる。
【００１４】
一部の実施形態において、前記電子素子は、二つの前記第１の接続辺の延長線によって形成される領域及び二つの前記第２の接続辺の延長線によって形成される領域の外に位置する。
【００１５】
一部の実施形態において、前記表示領域と、前記リード線領域とが平らに展開されている場合に、前記フレキシブルディスプレイパネルは、矩形を呈し、
前記表示領域は、矩形を呈し、垂直に接続される第１の接続辺と、第２の接続辺と、を含み、
前記リード線領域は、前記第２の接続辺に接続され、
前記巻き付け可能な部分は、二つの前記第１の接続辺の間に位置し、
前記フレキシブルディスプレイパネルは、二つの前記電子素子を含み、二つの前記電子素子は、前記第２の接続辺の外側に設置され、
前記フレキシブルディスプレイパネルは、二つの前記第１の接続辺の外側にそれぞれ設置される二つの駆動回路ユニットをさらに含み、
前記リード線は、二束のリード線を含み、前記二束のリード線は、それぞれ一部の前記第２の接続辺と、一つの前記駆動回路ユニットとを、一つの前記電子素子に接続し、前記二束のリード線は、それぞれ前記第２の接続辺と前記駆動回路ユニットから前記電子素子へ集まって束になる。
【００１６】
一部の実施形態において、前記二つの電子素子は、二つの前記第１の接続辺の延長線によって形成される領域及び二つの前記第２の接続辺の延長線によって形成される領域の外に位置する。
【００１７】
一部の実施形態において、前記表示領域と、前記リード線領域とが平らに展開されている場合に、前記フレキシブルディスプレイパネルは、矩形を呈し、
前記表示領域は、矩形を呈し、垂直に接続される第１の接続辺と、第２の接続辺と、を含み、
前記リード線領域は、前記第１の接続辺と、前記第２の接続辺とに接続され、
前記巻き付け可能な部分は、一つの前記第２の接続辺から離れており、
前記電子素子は、前記第１の接続辺の外側に設置される第１の電子素子と、前記第２の接続辺の外側に設置される第２の電子素子と、を含み、
前記リード線は、二束のリード線を含み、一束の前記リード線は、前記第１の接続辺と、前記第１の電子素子とを接続し、前記リード線は、前記第１の接続辺から前記第１の電子素子へ集まって束になり、もう一束の前記リード線は、前記第２の接続辺と、前記第２の電子素子とを接続し、前記リード線は、前記第２の接続辺から前記第２の電子素子へ集まって束になる。
【００１８】
本発明の付加的な特徴及び利点は、一部が以下の説明において示され、一部が以下の説明により明らかになり、又は本発明の実践により理解される。
【図面の簡単な説明】
【００１９】
本発明の上記及び／又は付加的な側面及び利点は、以下、図面を参照する上での実施形態についての説明において、明らかになり、理解しやすくなる。
【００２０】
【図１】本発明の実施形態のフレキシブルディスプレイパネルの構造概略図である。
【図２】本発明のもう一つの実施形態のフレキシブルディスプレイパネルの構造概略図である。
【図３】本発明のもう一つの実施形態のフレキシブルディスプレイパネルの構造概略図である。
【図４】本発明のもう一つの実施形態のフレキシブルディスプレイパネルの構造概略図である。
【図５】本発明の実施形態のリード線の構造概略図である。
【図６】本発明のもう一つの実施形態のフレキシブルディスプレイパネルの構造概略図である。
【発明を実施するための形態】
【００２１】
以下、本発明の実施形態を詳細に説明する。前記実施形態における例が図面に示され、同一又は類似する符号は、常に同一又は類似する部品、或いは、同一又は類似する機能を有する部品を表す。以下に、図面を参照しながら説明される実施形態は例示的なものであり、本発明を解釈するためだけに用いられ、本発明を限定するものと理解してはいけない。
【００２２】
なお、本発明の実施形態の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、単に本発明を便利に又は簡単に説明するためのものであり、指定された装置又は部品が特定の方位にあり、特定の方位において構造され操作されると指示又は暗示するものではないので、本発明を限定するものと理解してはいけない。なお、「第１」、「第２」の用語は、単に目的を説明するためのものであり、相対的な重要性を指示又は暗示するか、或いは示された技術的特徴の数を黙示的に指示すると理解してはいけない。よって、「第１」、「第２」と限定されている特徴は少なくとも一つの前記特徴を含むことを明示又は暗示し得るものである。本発明の説明において、明確且つ具体的な限定がない限り、「複数」とは、二つ、又は二つ以上を意味する。
【００２３】
なお、本発明の実施形態の説明において、明確な規定と限定がない限り、「取り付ける」、「互いに接続する」、「接続する」などの用語の意味は広義に理解されるべきである。例えば、固定接続や、着脱可能な接続や、或いは一体的な接続でも可能である。機械的な接続や、電気的な接続や、或いは相互に通信可能なものでも可能である。直接的に接続することや、中間媒体を介して間接的に接続することや、二つの部品の内部が連通することや、あるいは二つの部品の間に相互の作用関係があることも可能である。当業者にとって、具体的な場合に応じて上記用語の本発明においての具体的な意味を理解することができる。
【００２４】
本発明の実施形態において、明確な規定と限定がない限り、第１特徴が第２特徴の「上」又は「下」にあることは、第１特徴と第２特徴とが直接的に接触することを含んでも良いし、又は第１特徴と第２特徴とが直接的に接触するのではなく、これらの間の他の特徴を介して接触することを含んでもよい。また、第１特徴が第２特徴の「上」、「上方」又は「以上」にあることは、第１特徴が第２特徴の真上又は斜め上にあることを含むか、或いは、単に第１特徴の水平高さが第２特徴より高いことだけを表す。第１特徴が第２特徴の「下」、「下方」又は「以下」にあることは、第１特徴が第２特徴の真下又は斜め下にあることを含むか、或いは、単に第１特徴の水平高さが第２特徴より低いことだけを表す。
【００２５】
以下の開示は、本発明の実施形態の異なる構造を実現するために、数多くの異なる実施形態又は例を提供する。本発明の実施形態の開示を簡素化するために、以下、特定の例の部材及び設置について説明する。当然のことながら、これらは、単なる例であり、本発明を制限することを目的としていない。また、本発明の実施形態は、異なる例において参考番号及び／又は参考アルファベットが重複されており、このような重複は、簡素化及び明確化を目的とし、それ自体は、検討される種々の実施形態及び／又は設置間の関係を示さない。また、本発明の実施形態が種々の特定のプロセス及び材料の例を提供したが、当業者は、他のプロセスの適用及び／又は他の材料の使用を意識することができる。
【００２６】
図１を参照すると、本発明の実施形態のフレキシブルディスプレイパネル１０は、表示領域１２と、リード線領域１４と、少なくとも一つの電子素子１８と、を含む。リード線領域１４は、表示領域１２に接続される。電子素子１８は、リード線領域１４内の隅に設置される。リード線領域１４には、表示領域１２と、電子素子１８とを接続するためのリード線１４２が形成される。
【００２７】
本発明の実施形態のフレキシブルディスプレイパネル１０において、フレキシブルディスプレイパネル１０における折り曲げ可能な領域が比較的大きくなるように、電子素子１８がリード線領域１４の隅に設置されて、製品設計の自由度を向上させ、電子素子１８が折り曲げ不可能であることによる設計制限を解消する。
【００２８】
なお、表示領域１２は、複数の表示画素を含んでもよく、これらの表示画素は、表示領域１２に接続される電子素子１８又は駆動回路によって、駆動又は制御される。電子素子１８は、駆動チップであってもよい。駆動回路は、ＧＯＡ（Ｇａｔｅ Ｄｒｉｖｅｒ ｏｎ Ａｒｒａｙ、ゲートドライバオンアレイ）回路などであってもよい。フレキシブルディスプレイパネル１０において、駆動チップ又は硬化接着剤が存在する領域は、折り曲げることができない。リード線１４２は、表示領域１２と電子素子１８との間で信号を伝送する。フレキシブルディスプレイパネル１０は、回路基板２２を含んでもよい。電子素子１８は、回路基板２２に設置される。
【００２９】
一部の実施形態において、フレキシブルディスプレイパネル１０は、巻き付け可能な部分１６を含む。巻き付け可能な部分１６は、表示領域１２内に位置する巻き付け可能な表示領域１６２と、リード線領域１４内に位置する巻き付け可能なリード線領域１６４と、を含む。表示領域１２に対する巻き付け可能な表示領域１６２の比率は、０．５より大きい。電子素子１８は、巻き付け可能なリード線領域１６４以外に位置する。
【００３０】
具体的には、図中の破線のボックスにおける部分は、巻き付け可能な部分１６である。巻き付け可能な部分１６は、折り曲げ軸を設置することができる領域であり、フレキシブルディスプレイパネル１０は、折り曲げ軸の周りに折り曲げることができる。このようにして、電子素子１８を偏って設置することで、表示領域において一般的な領域を超えて、全部巻き付け可能な表示領域となり、全部折り曲げることができる。
【００３１】
一部の実施形態において、フレキシブルディスプレイパネル１０は、フレキシブルＯＬＥＤ（Ｏｒｇａｎｉｃ Ｌｉｇｈｔ-Ｅｍｉｔｔｉｎｇ Ｄｉｏｄｅ、有機発光ダイオード）を含む。
【００３２】
具体的には、フレキシブルＯＬＥＤは、低消費電力や、折り曲げ可能という利点を有する。
【００３３】
一部の実施形態において、表示領域１２と、リード線領域１４とが平らに展開されている場合に、フレキシブルディスプレイパネル１０は、矩形を呈する。表示領域１２は、矩形を呈し、垂直に接続される第１の接続辺１２２と、第２の接続辺１２４と、を含む。リード線領域１４は、第１の接続辺１２２と、第２の接続辺１２４とに接続される。
【００３４】
このようにして、電子素子１８は、リード線１４２を介して、表示するように表示領域１２を駆動又は制御する。
【００３５】
一部の実施形態において、表示領域１２に対する巻き付け可能な表示領域１６２の比率は、２／３より大きい。
【００３６】
例えば、図２を例として、電子素子１８の分布位置を合理的に設置することで、表示領域１２に対する巻き付け可能な表示領域１６２の比率を拡大することができ、このようにして、折り曲げ軸の選択可能な位置がさらに多様化する。
【００３７】
一部の実施形態において、表示領域１２に対する巻き付け可能な表示領域１６２の比率は１である。
【００３８】
例えば、図３を例として、電子素子１８の分布位置を合理的に設置することで、表示領域１２全体と、巻き付け可能なリード線領域１６４には、いずれも折り曲げ軸を設置することができる。
【００３９】
一部の実施形態において、リード線１４２は、少なくとも一束のリード線１４２を含み、同一の束におけるリード線１４２の長さは、同じである。
【００４０】
具体的には、リード線１４２が表示領域１２と電子素子１８との間で信号を伝送するため、信号伝送の同期化が保証されるように、同一の束におけるリード線１４２のうち、各リード線１４２の配線長が一致すること、即ち長さが同じであることが好ましい。例えば、図２及び図４を例として、フレキシブルディスプレイパネル１０は、２束のリード線１４２を含み、各束のリード線１４２のうち、複数のリード線１４２の長さが等しい。
【００４１】
図５を参照すると、一部の実施形態において、同一の束におけるリード線１４２は、第１の直線セグメント１４２２と、斜線セグメント１４２４と、折線セグメント１４２６と、第２の直線セグメント１４２８と、を含む。第１の直線セグメント１４２２は、表示領域１２に接続され、平行に配置される。斜線セグメント１４２４は、第１の直線セグメント１４２２に接続され、片側へ集まるように配置される。折線セグメント１４２６は、斜線セグメント１４２４に接続される。第２の直線セグメント１４２８の一端は、折線セグメント１４２６に接続され、平行に配置される。第２の直線セグメント１４２８の他端は、電子素子１８に接続される。複数の第１の直線セグメント１４２２の配置幅ｄ１は、複数の第２の直線セグメント１４２８の配置幅ｄ２より大きい。
【００４２】
このようにして、リード線１４２は、電子素子１８に接続され、占有スペースが減少するように、漸次集まって収縮することができる。折線セグメント１４２６の数回の屈曲により、比較的長いリード線１４２を収容することができ、それに、同一の束におけるリード線１４２のうち、異なるリード線１４２の折線セグメント１４２６の長さは、一致しなくてもよく、具体的には、リード線１４２を合理的に配置するために、電子素子１８の分布位置に応じて設置すべきである。
【００４３】
なお、折り曲げ軸の設置可能な領域を増大し、製品の設計性を向上させるために、電子素子１８が通常フレキシブルディスプレイパネル１０の縁辺に設置されるので、斜線セグメント１４２４が、電子素子１８を含む片側へ集まるように配置される。
【００４４】
好ましくは、折線セグメント１４２６は、折り曲げ軸の延長線以外に位置する。
【００４５】
折線セグメント１４２６には、曲がり角と、横方向及び縦方向に分布する折線とが存在するため、折線セグメント１４２６が折り曲げ軸の延長線に位置する場合、リード線１４２が折り曲げられるとき、横方向の応力を受けることによって、リード線１４２の不具合を引き起こすおそれがある。
【００４６】
本発明の実施形態のリード線１４２の配置は、電子素子１８の非対称的な設置に対応し、設計の複雑度及びプロセスの統合的な難易度を増加しないという前提で、各リード線１４２の長さが一致することを成立させ、負荷の一致を保証する。
【００４７】
なお、図５に示されるリード線１４２の構造は、単なるリード線１４２の設計方式の一種であり、他の実施形態において、リード線１４２は、必要に応じて他の折り曲げ及び配置の形式を採用してもよい。
【００４８】
一部の実施形態において、表示領域１２と、リード線領域１４とが平らに展開されている場合に、フレキシブルディスプレイパネル１０は、矩形を呈する。表示領域１２は、矩形を呈し、垂直に接続される第１の接続辺１２２と、第２の接続辺１２４と、を含む。リード線領域１４は、第２の接続辺１２４に接続される。巻き付け可能な部分１６は、一つの第１の接続辺１２２から離れている。電子素子１８は、第２の接続辺１２４の外側に設置される。フレキシブルディスプレイパネル１０は、二つの第１の接続辺１２２の外側にそれぞれ設置される二つの駆動回路ユニット２０をさらに含む。リード線１４２は、第２の接続辺１２４と、二つの駆動回路ユニット２０とを、電子素子１８に接続する。リード線１４２は、第２の接続辺１２４と、二つの駆動回路ユニット２０から、電子素子１８へ集まって束になる。
【００４９】
例えば、図１を例として、電子素子１８は、フレキシブルディスプレイパネル１０の右上隅に設置されてもよく、電子素子１８の配置方向は、第２の接続辺１２４に平行である。巻き付け可能な表示領域１６２は、表示領域１２の左半分である。
【００５０】
このようにして、折り曲げ軸の設置可能な領域を増大することができる。
【００５１】
一部の実施形態において、電子素子１８は、二つの第１の接続辺１２２の延長線によって形成される領域及び二つの第２の接続辺１２４の延長線によって形成される領域の外に位置する。
【００５２】
例えば、図３を例として、電子素子１８は、フレキシブルディスプレイパネル１０の右上隅に設置されてもよく、電子素子１８の配置方向は、第２の接続辺１２４に垂直である。フレキシブルディスプレイパネル１０が折り曲げられる場合に、リード線領域１４と、電子素子１８とを１８０°折り曲げてフレキシブルディスプレイパネル１０の裏面に位置づけることができる。
【００５３】
このようにして、表示領域１２全体と、巻き付け可能なリード線領域１６４には、いずれも折り曲げ軸を設置することができる。
【００５４】
一部の実施形態において、表示領域１２と、リード線領域１４とが平らに展開されている場合に、フレキシブルディスプレイパネル１０は、矩形を呈する。表示領域１２は、矩形を呈し、垂直に接続される第１の接続辺１２２と、第２の接続辺１２４と、を含む。リード線領域１４は、第２の接続辺１２４に接続される。巻き付け可能な部分１６は、二つの第１の接続辺１２２の間に位置する。フレキシブルディスプレイパネル１０は、二つの電子素子１８を含む。二つの電子素子１８は、第２の接続辺１２４の外側に設置される。フレキシブルディスプレイパネル１０は、二つの第１の接続辺１２２の外側にそれぞれ設置される二つの駆動回路ユニット２０をさらに含む。リード線１４２は、二束のリード線１４２を含む。二束のリード線１４２は、それぞれ一部の第２の接続辺１２４と、一つの駆動回路ユニット２０とを、一つの電子素子１８に接続する。二束のリード線１４２は、それぞれ第２の接続辺１２４と、駆動回路ユニット２０とから電子素子１８へ集まって束になる。
【００５５】
例えば、図２を例として、二つの電子素子１８は、フレキシブルディスプレイパネル１０の左上隅及び右上隅にそれぞれ設置されてもよく、電子素子１８の配置方向は、第２の接続辺１２４に平行である。巻き付け可能な表示領域１６２は、表示領域１２の中間部分である。
【００５６】
このようにして、折り曲げ軸の設置可能な領域を増大することができる。
【００５７】
一部の実施形態において、二つの電子素子１８は、二つの第１の接続辺１２２の延長線によって形成される領域及び二つの第２の接続辺１２４の延長線によって形成される領域の外に位置する。
【００５８】
例えば、図４を例として、二つの電子素子１８は、フレキシブルディスプレイパネル１０の左上隅及び右上隅にそれぞれ設置されてもよく、電子素子１８の配置方向は、第２の接続辺１２４に平行である。フレキシブルディスプレイパネル１０が折り曲げられる場合に、リード線領域１４と、二つの電子素子１８とを１８０°折り曲げてフレキシブルディスプレイパネル１０の裏面に位置づけることができる。
【００５９】
このようにして、表示領域１２全体と、巻き付け可能なリード線領域１６４とには、いずれも折り曲げ軸を設置することができる。
【００６０】
一部の実施形態において、表示領域１２と、リード線領域１４とが平らに展開されている場合に、フレキシブルディスプレイパネル１０は、矩形を呈する。表示領域１２は、矩形を呈し、垂直に接続される第１の接続辺１２２と、第２の接続辺１２４と、を含む。リード線領域１４は、第１の接続辺１２２と、第２の接続辺１２４とに接続される。巻き付け可能な部分１６は、一つの第２の接続辺１２４から離れている。電子素子１８は、第１の接続辺１２２の外側に設置される第１の電子素子１８２と、第２の接続辺１２４の外側に設置される第２の電子素子１８４と、を含む。リード線１４２は、二束のリード線１４２を含む。一束のリード線１４２は、第１の接続辺１２２と、第１の電子素子１８２とを接続する。リード線１４２は、第１の接続辺１２２から第１の電子素子１８２へ集まって束になり、もう一束のリード線１４２は、第２の接続辺１２４と、第２の電子素子１８４とを接続する。リード線１４２は、第２の接続辺１２４から第２の電子素子１８４へ集まって束になる。
【００６１】
例えば、図６を例として、第１の電子素子１８２と、第２の電子素子１８４とは、フレキシブルディスプレイパネル１０の右側に設置されてもよく、電子素子１８の配置方向は、第２の接続辺１２４に垂直である。フレキシブルディスプレイパネル１０が折り曲げられる場合に、リード線領域１４、第１の電子素子１８２及び第２の電子素子１８４を１８０°折り曲げてフレキシブルディスプレイパネル１０の裏面に位置付けることができる。
【００６２】
具体的には、第１の電子素子１８２は、ｇａｔｅ（ゲート電極）駆動チップであってもよく、第２の電子素子１８４は、ＳＤ（ドレイン電極／ソース電極）駆動チップであってもよい。
【００６３】
なお、本発明の実施形態のフレキシブルディスプレイパネル１０は、二束以上のリード線１４２を含むことができ、表示パネルが二束以上のリード線１４２を含むケースは、第２の接続辺１２４に接続されるリード線１４２が比較的多い場合に適用する。
【００６４】
本発明の実施形態の駆動回路ユニット２０は、ＧＯＡユニットであってもよい。
【００６５】
本発明の実施形態の表示領域１２は、矩形に限定されず、表示領域１２が非矩形である場合に、リード線１４２及び電子素子１８の配置は、同じ又は類似する非対称的な設計方法を採用することができる。例えば、表示領域１２は、円形又は平行四辺形などであってもよく、電子素子１８は、折り曲げ軸の設置可能な領域を増大するために、表示領域１２の一つの縁辺に位置する。リード線領域１４の配置は、電子素子１８に対応して設置される。
【００６６】
本発明の説明において、「一実施形態」、「一部の実施形態」、「例示的な実施形態」、「例」、「具体のな例」、或いは「一部の例」などの用語を参照した説明は、該実施形態或いは例に合わせて説明された具体的な特徴、構成、材料或いは特性が、本発明の少なくとも一つの実施形態或いは例に含まれることを意味する。本明細書において、上記用語に対する例示的な説明は、必ずしも同じ実施形態或いは例を指すことではない。また、説明された具体的な特徴、構成、材料或いは特性は、いずれか一つ或いは複数の実施形態又は例において適切に結合することができる。
【００６７】
フローチャート、又はここでもう一つの方式により説明される任意のプロセス又は方法の説明は、特定のロジック機能又はプロセスのステップを実現するための一つ又はそれ以上の実行可能な命令のコードを含むモジュール、セグメント又は部分と理解されてもよい。また、本発明の好ましい実施形態の範囲は、さらに別の実現方式が含まれており、例示された、又は議論された順序に従わなくてもよく、言及された機能が実質的に同時に、又は逆の順序に応じて機能を実行することを含む。本発明の実施例が属する技術分野の当業者は、これを理解すべきである。
【００６８】
フローチャートに示され、又は、ここでもう一つの方式により説明されたロジック及び／又はステップは、例えば、ロジック機能を実現するための実行可能な命令の一定のシーケンスリストと考えられてもよく、コマンド実行システム、装置又は機器（例えば、コンピュータに基づくシステム、プロセッサを含むシステム、又は命令実行システム、装置又は機器からコマンドを取り出して、実行可能である他のシステム）が使用するように、又はこれらのコマンド実行システム、装置又は機器を組み合わせて使用するように、いかなるコンピュータ読み取り可能な媒体において具現化されてもよい。本明細書の場合、「コンピュータ読み取り可能な媒体」とは、コマンド実行システム、装置又は機器が使用するように、又はこれらのコマンド実行システム、装置又は機器と組み合わせて使用するように、プログラムを含み、記憶し、通信し、伝播し、又は伝送することができるいかなる装置であってもよい。コンピュータ読み取り可能な媒体のより具体的な例（非網羅的なリスト）としては、１つ又は複数の配線を有する電気接続部（ＩＰＭ過電流保護回路）、ポータブルコンピュータディスクボックス（磁気デバイス）、ランダムアクセスメモリ（ＲＡＭ）、リードオンリーメモリ（ＲＯＭ）、消去・書き込み可能なランダムアクセスメモリ（ＥＰＲＯＭ又はフラッシュメモリ）、光ファイバー装置、及びポータブルコンパクトディスク読み出し専用メモリ（ＣＤＲＯＭ）を含む。また、コンピュータ読み取り可能な媒体は、上記プログラムが印刷される用紙又は他の適切な媒体であってもよい。これは、例えば、用紙や他の媒体を光学スキャンし、引き続き編集し、デコードし、又は必要に応じて他の適切な方式により処理して、電子的な方法で上記プログラムを取得した後、それをコンピュータのメモリに記憶することができるためである。
【００６９】
なお、本発明の実施形態の各部分は、ハードウェア、ソフトウェア、ファームウェア、又はこれらの組み合わせにより実現できる。上記実施形態では、複数のステップ又は方法は、メモリに記憶され、且つ適切なコマンド実行システムによって実行されるソフトウェア又はファームウェアにより実現することができる。例えば、ハードウェアにより実現される場合は、もう一つの実施形態と同じく、本分野の以下の公知技術のうち何れか一つ又はこれらの組み合わせにより実現することができる。データ信号のロジック機能を実現するための論理ゲート回路を備えたディスクリート論理回路、適切な組み合わせ論理ゲート回路を備えた専用集積回路、プログラム可能なゲートアレイ（ＰＧＡ）、フィールドプログラム可能なゲートアレイ（ＦＰＧＡ）などである。
【００７０】
当業者は、上記実施形態に係る方法に含まれている全部又は一部のステップが、プログラムにより関連するハードウェアに命令することにより完遂できることを理解できる。前記プログラムは、コンピュータ読み取り可能な媒体に記憶されてもよく、当該プログラムは実行時に、方法の実施例における一つのステップ又はその組み合わせを含むことができる。
【００７１】
また、本発明の各実施例に係る各機能ユニットは、一つの処理モジュールに集積されてもよく、各ユニットが物理的に独立して存在してもよく、２つ又は２つ以上のユニットが一つのモジュールに集積されてもよい。上記集積されたモジュールは、ハードウェアの形式により実現されてもよく、ソフトウェアの機能モジュールの形式により実現されてもよい。上記集積されたモジュールがソフトウェアの機能モジュールの形式により実現され、独立の製品として販売又は使用される場合、一つのコンピュータ読み取り可能な記憶媒体に記憶することもできる。
【００７２】
以上説明した記憶媒体はリードオンリーメモリ、磁気ディスク又は光ディスクなどであってもよい。
【００７３】
以上に、本発明の実施形態を示して説明したが、上記実施形態は、例示的なものであり、本発明を限定するものと理解してはいけない。当業者は、本発明の範囲内で上記実施形態に対して変更、修正、取り替え及び変形を行うことができる。
【符号の説明】
【００７４】
１０      フレキシブルディスプレイパネル
１２      表示領域
１２２    第１の接続辺
１２４    第２の接続辺
１４      リード線領域
１４２    リード線
１４２２  第１の直線セグメント
１４２４  斜線セグメント
１４２６  折線セグメント
１４２８  第２の直線セグメント
１６      巻き付け可能な部分
１６２    巻き付け可能な表示領域
１６４    巻き付け可能なリード線領域
１８      電子素子
１８２    第１の電子素子
１８４    第２の電子素子
２０      駆動回路ユニット
２２      回路基板
【図１】
2019537053.tif 000003
【図２】
2019537053.tif 000004
【図３】
2019537053.tif 000005
【図４】
2019537053.tif 000006
【図５】
2019537053.tif 000007
【図６】
2019537053.tif 000008
【国際調査報告】
2019537053.tif 000009
2019537053.tif 000010
2019537053.tif 000011
2019537053.tif 000012
2019537053.tif 000013
2019537053.tif 000014